(57)【要約】【課題】視聴者にも、ポイントを提供するスポンサー側にも、番組を提供する側にも全てに対してメリットがある特典付与システムを実現する。【解決手段】特典発行サーバ１２１が視聴者が持つ、例えば応答端末装置１１１に対して識別可能な信号を発信し、その信号を受信時に視聴者が視聴している合図を返信し、その合図を管理する特典管理サーバ１３１が受け取った場合に、そのユーザの信号を発信した時点でのフラグを立て、番組コンテンツの区間におけるフラグによって特典をユーザに与える。【選択図】図１
2007281968.tif 000002
【特許請求の範囲】
【請求項１】
データ放送を行う放送局が放送中に発行する特典発行サーバ装置と、その発行された特典に対して応答の有無を管理する特典管理サーバ装置と、視聴者が発行された特典に対して応答を行う特典応答装置が通信回線を介して接続されている特典付与システムであって、
前記特典管理サーバ装置は、
前記特典発行サーバ装置から発行された特典に対して、前記特典応答装置からの応答及び、制御に関する指示を受信する特典管理側受信手段と、
前記特典管理側受信手段からの受信内容を記憶する特典管理側情報管理手段及び特典管理側情報記憶手段と、
前記特典管理側情報記憶手段から所定の条件に該当するか否かの演算を行う特典管理側演算手段と、
前記各手段を必要に応じて制御する特典管理側制御手段と、
前記特典管理側演算手段によって結果の出力を行う特典管理側出力手段とを備えることを特徴とする特典付与システム。
【請求項２】
データ放送を行う放送局が放送中に発行する特典発行サーバ装置と、その発行された特典に対して応答の有無を管理する特典管理サーバ装置と、視聴者が発行された特典に対して応答を行う特典応答装置が通信回線を介して接続されている特典付与システムであって、
前記特典発行サーバ装置は、
特典の発行指示を受け付ける特典発行側受信手段と、
前記特典発行側受信手段からの受信内容を記憶する特典発行側情報管理手段及び特典発行側情報記憶手段と、
発行する特典を生成する特典発行側特典生成手段と、
発行する特典のデータ内に識別可能な識別子を生成するための特典発行側識別子生成手段と、
特典の発行及び、前記特典発行側識別子生成手段で生成した情報を、前記特典管理サーバ装置に通知するための特典発行側送信手段と、
前記各手段を必要に応じて制御する特典発行側制御手段とを備えることを特徴とする特典付与システム。
【請求項３】
データ放送を行う放送局が放送中に発行する特典発行サーバ装置と、その発行された特典に対して応答の有無を管理する特典管理サーバ装置と、視聴者が発行された特典に対して応答を行う特典応答装置が通信回線を介して接続されている特典付与システムであって、
前記特典応答装置は、
前記特典発行側制御手段から発行された特典及び、前記特典管理側出力手段から出力された情報を受信する特典応答側受信手段と、
前記特典応答側受信手段から受信した情報及び応答を出力する特典応答側出力手段と、
前記特典応答側受信手段からの受信内容を記憶する特典応答側情報管理手段及び特典応答側情報記憶手段と、
前記各手段を必要に応じて制御する特典応答側制御手段とを備えることを特徴とする特典付与システム。
【請求項４】
前記特典管理サーバ装置は、前記特典応答装置から受信した応答情報と、前記特典発行サーバ装置から受信した識別子から、前記特典管理側演算手段によって所定の条件を満たしているか演算を行い、その演算結果によって前記特典管理側出力手段が出力する内容を変更することを特徴とする請求項１〜３のいずれか１項に記載の特典付与システム。
【請求項５】
前記特典管理サーバ装置が前期特典管理側演算手段によって演算を行う条件は、期間内に前記特典発行サーバ装置が発行した全ての特典に対して、前記特典応答装置の応答がなされた場合とすることを特徴とする請求項１〜３のいずれか１項に記載の特典付与システム。
【請求項６】
前記特典管理サーバ装置が前記特典管理側出力手段によって出力される内容はポイントを付与することを特徴とする請求項１〜３のいずれか１項に記載の特典付与システム。
【請求項７】
前記特典管理サーバ装置が前記特典管理側出力手段によって出力される内容は懸賞応募権の付与であることを特徴とする請求項１〜３のいずれか１項に記載の特典付与システム。
【請求項８】
前記特典管理サーバ装置が前記特典管理側出力手段によって出力される内容は映像音声コンテンツであることを特徴とする請求項１〜３のいずれか１項に記載の特典付与システム。
【発明の詳細な説明】
【技術分野】
【０００１】
本発明は、放送中の特典サービスに用いて好適な特典付与システムに関する。
【背景技術】
【０００２】
現在、身近で頻繁に用いられている特典サービスの1つとしてポイントサービスがある。これは、商店などで顧客の固定化やマーケティングを図るために有効となっており、どの商店においても導入が目立っている。
【０００３】
また、インターネットでも特典サービスが浸透してきており、広告入りの電子メールを受信したり、メール内にあるアドレスにアクセスし広告を閲覧した場合に特典が付与されるサービスがある。
【０００４】
このようなインターネットでの特典サービスは受信者であるユーザが自ら広告を見に行くために、広告が必ずみられるという広告としての効果が大いに発揮されている。
【０００５】
そして、放送メディアが双方向通信できるコンテンツが増えてきたため、放送でも特典サービスを実施するための技術が提案されている（例えば特許文献１及び特許文献２参照）。
【０００６】
特許文献１では、ＣＭなどのポイントサービス対応区間開始時にその番組（コンテンツ）を視聴していたらＣＭ視聴フラグをＯＮにし、ポイントサービス対応区間終了時にそのＣＭ視聴フラグがＯＮの状態のままであったらポイントを付与するシステムが開示されている。
【０００７】
また、特許文献２では、番組中にポイントが付与される地点でユーザがポイント獲得キーを操作した場合にポイントが付与されるシステムが開示されている。
【０００８】
【特許文献１】特開２００２−１７００２６号公報
【特許文献２】特開２００３−９１２９号公報
【発明の開示】
【発明が解決しようとする課題】
【０００９】
しかしながら、上記従来技術に示すような特典サービスに関するシステムでは以下のような問題点を持つ。
【００１０】
特許文献１にあるポイント付与システムではポイントサービス対応区間内で、テレビを視聴していた場合にポイントが付与されるが、実際に視聴しているか判断できず、テレビの電源を入れたまま他事を行っていてもポイントが付与されてしまい、ポイントを与える側のメリットを失ってしまう。
【００１１】
また、特許文献２にあるポイント付与システムでは、実際にポイントが付与される場面でユーザ側がアクションを起こさなければならないため、その場面ではユーザは視聴しているが、その他の場面になったとたんチャンネルを切り替えられてしまい、番組提供側の視聴率が安定しないなどの問題が発生してしまう。
【００１２】
そこで、本発明の目的は上記の課題を解決するために、視聴者にも、ポイントを提供するスポンサー側にも、番組を提供する側にも全てに対してメリットがあるシステムを実現することである。
【課題を解決するための手段】
【００１３】
本発明の特典付与システムは、データ放送を行う放送局が放送中に発行する特典発行サーバ装置と、その発行された特典に対して応答の有無を管理する特典管理サーバ装置と、視聴者が発行された特典に対して応答を行う特典応答装置が通信回線を介して接続されている特典付与システムであって、前記特典管理サーバ装置は、前記特典発行サーバ装置から発行された特典に対して、前記特典応答装置からの応答及び、制御に関する指示を受信する特典管理側受信手段と、前記特典管理側受信手段からの受信内容を記憶する特典管理側情報管理手段及び特典管理側情報記憶手段と、前記特典管理側情報記憶手段から所定の条件に該当するか否かの演算を行う特典管理側演算手段と、前記各手段を必要に応じて制御する特典管理側制御手段と、前記特典管理側演算手段によって結果の出力を行う特典管理側出力手段とを備えることを特徴とする。
また、本発明の特典付与システムは、データ放送を行う放送局が放送中に発行する特典発行サーバ装置と、その発行された特典に対して応答の有無を管理する特典管理サーバ装置と、視聴者が発行された特典に対して応答を行う特典応答装置が通信回線を介して接続されている特典付与システムであって、前記特典発行サーバ装置は、特典の発行指示を受け付ける特典発行側受信手段と、前記特典発行側受信手段からの受信内容を記憶する特典発行側情報管理手段及び特典発行側情報記憶手段と、発行する特典を生成する特典発行側特典生成手段と、発行する特典のデータ内に識別可能な識別子を生成するための特典発行側識別子生成手段と、特典の発行及び、前記特典発行側識別子生成手段で生成した情報を、前記特典管理サーバ装置に通知するための特典発行側送信手段と、前記各手段を必要に応じて制御する特典発行側制御手段とを備えることを特徴とする。
また、本発明の特典付与システムは、データ放送を行う放送局が放送中に発行する特典発行サーバ装置と、その発行された特典に対して応答の有無を管理する特典管理サーバ装置と、視聴者が発行された特典に対して応答を行う特典応答装置が通信回線を介して接続されている特典付与システムであって、前記特典応答装置は、前記特典発行側制御手段から発行された特典及び、前記特典管理側出力手段から出力された情報を受信する特典応答側受信手段と、前記特典応答側受信手段から受信した情報及び応答を出力する特典応答側出力手段と、前記特典応答側受信手段からの受信内容を記憶する特典応答側情報管理手段及び特典応答側情報記憶手段と、前記各手段を必要に応じて制御する特典応答側制御手段とを備えることを特徴とする。
【発明の効果】
【００１４】
本発明では、１つの番組コンテンツ内でスタンプラリーの形式で番組を視聴しているかのフラグを立てていき、全てのフラグがたった場合のみに特典を与えることで、視聴者は見たい番組を見るだけで特典を与えられるメリットがあり、スポンサー及び番組提供者にとってもチャンネル切り替えやＣＭスキップなどされにくくなり全ての番組を見てもらえるメリットがある。
【発明を実施するための最良の形態】
【００１５】
以下、添付の図面に沿って本発明の実施の形態について説明する。図１は本発明の特典付与システムのネットワーク構成図の一例を示す図である。
【００１６】
１０１、１０２、１０３は受信した放送番組を出力するモニタやスピーカ機器である。１１１、１１２、１１３は応答端末装置であり、その内部に通信機能を有しネットワーク１４１に接続している。
【００１７】
なお、応答端末装置１１１、１１２、１１３はパーソナルコンピュータやセットトップボックスなど、情報を受信して、その内容を表示及び制御できる機器である。
【００１８】
図示のように１０１−１１１、１０２−１１２、１０３−１１３と対になって接続されているが、モニタ１０１、１０２、１０３の中に応答端末装置１１１、１１２、１１３の機能が含まれている一体型でもかまわない。なお、応答端末装置１１１、１１２、１１３による制御については後述する。
【００１９】
１２１は特典発行サーバ装置であり、その内部に通信機能を有しネットワーク１４１に接続している。なお、特典発行サーバ装置１２１による制御については後述する。
【００２０】
１３１は特典管理サーバ装置であり、その内部に通信機能を有しネットワーク１４１に接続している。なお、特典管理サーバ装置１３１による制御については後述する。
【００２１】
図２は本発明の応答端末装置１１１、１１２、１１３のハードウェアの基本構成の一例を示すブロック図である。
【００２２】
応答端末装置１１１、１１２、１１３は、パーソナルコンピュータ又はセットトップボックス及び、応答端末装置用プログラムデータによって構成され、ＣＰＵ、メモリ、記憶装置、入力装置、通信装置、出力装置、バスを具備している。
【００２３】
ＣＰＵ２０１は処理の演算を行なう。メモリ２０２は演算に必要な記憶領域を実現する。記憶装置２０３は応答端末装置用プログラムデータ自体および、その動作に必要なデータの格納も行なうものとする。
【００２４】
入力装置２０４はパーソナルコンピュータのキーボードやマウス、リモートコントローラなどのユーザから入力する情報を受け付ける。
【００２５】
通信装置２０５はネットワーク１４１に接続するための装置であり、特典発行サーバ装置１２１及び、特典管理サーバ装置１３１と情報のやり取りを行なう。
【００２６】
出力装置２０６は応答端末装置１１１、１１２、１１３や特典発行サーバ装置１２１及び特典管理サーバ装置１３１が入力や送受信した情報を表示及び印刷する。
【００２７】
バス２０７はこれらの装置間を繋ぎデータを転送する。
【００２８】
なお、具体的には応答端末装置用プログラムデータは２０８に相当し、パーソナルコンピュータ又はセットトップボックスは２０１から２０７の各部に相当する。
【００２９】
図３は本発明の応答端末装置１１１、１１２、１１３のハードウェアの機能構成の一例を示すブロック図である。
【００３０】
情報記憶手段３０１とは、情報管理手段３０２からの要求に従い、端末装置を使用するユーザ名、応答端末装置のＩＰアドレス及び、特典発行サーバ装置１２１や特典管理サーバ装置１３１から送られた情報を書き込み、または読み出されるものである。
【００３１】
情報管理手段３０２は、情報記憶手段３０１を操作・管理するものであり、制御手段３０３からの要求に従い、情報を情報記憶手段３０１に書き込み、または情報を削除し、あるいは情報を情報記憶手段３０１から読み出すものである。
【００３２】
制御手段３０３は、受信手段３０５で受信した情報を記憶や出力、応答情報を送信するための指示を与えるものである。
【００３３】
受信手段３０４は、入力装置２０４、ネットワークに接続している特典発行サーバ装置１２１及び、特典管理サーバ装置１３１から送られる情報を受信するものである。
【００３４】
出力手段３０５は、制御手段３０３より送られてきた送信命令に従い、特典管理サーバ装置１３１に応答を返したり、特典管理サーバ装置１３１から受信した情報の出力を行うものである。
【００３５】
図４は本発明の特典発行サーバ装置１２１のハードウェアの基本構成の一例を示すブロック図である。
【００３６】
特典発行サーバ装置１２１は、パーソナルコンピュータ及び、特典発行サーバ装置用プログラムデータによって構成され、ＣＰＵ、メモリ、記憶装置、入力装置、通信装置、表示装置、バスを具備している。
【００３７】
ＣＰＵ４０１は処理の演算を行なう。メモリ４０２は演算に必要な記憶領域を実現する。記憶装置４０３は特典発行サーバ装置プログラムデータ自体および、その動作に必要なデータの格納も行なうものとする。
【００３８】
入力装置４０４はパーソナルコンピュータのキーボードやマウスなどのオペレータから入力する情報を受け付ける。
【００３９】
通信装置４０５はネットワーク１４１に接続するための装置であり、応答端末装置１１１、１１２、１１３や特典管理サーバ装置１３１と情報のやり取りを行なう。
【００４０】
表示装置４０６は通信装置４０５で送受信した情報及び、ＣＰＵ４０１で処理した情報を表示する。これは、サーバのため必ずしも必要とせず、ネットワークによって表示するべき情報を受信したりするなどの手段で代用してもかまわない。
【００４１】
バス４０７はこれらの装置間を繋ぎデータを転送する。
【００４２】
なお、具体的には特典発行サーバ装置プログラムデータは４０８に相当し、パーソナルコンピュータは４０１から４０７の各部に相当する。
【００４３】
図５は本発明の特典発行サーバ装置１２１のハードウェアの機能構成の一例を示すブロック図である。
【００４４】
情報記憶手段５０１とは、情報管理手段５０２からの要求に従い、特典の発行に必要な情報である、あて先、特典自身、特典に付加される識別子に関する情報を書き込み、または読み出されるものである。
【００４５】
情報管理手段５０２は、情報記憶手段５０１を操作・管理するものであり、制御手段５０５からの要求に従い、情報を情報記憶手段５０１に書き込み、または情報を削除し、あるいは情報を情報記憶手段５０１から読み出すものである。
【００４６】
特典生成手段５０３は、発行する特典の生成を行うものである。識別子生成手段５０４は、発行する特典に対して、識別可能な識別子を生成し発行する特典に追加するものである。
【００４７】
制御手段５０５は、特典生成手段５０３で発行する特典の生成、識別子生成手段５０４でその特典に識別子の追加、送信手段５０７でその特典の発行及び、受信手段５０６で受信した情報の記憶する要求を与えるものである。
【００４８】
受信手段５０６は、オペレータから送られる特典発行指示情報を受信するものである。これは、ネットワークからでなくても入力装置４０４から受け付けてもかまわない。
【００４９】
送信手段５０７は、制御手段５０３より送られてきた送信命令に従い、指定された応答端末装置や特典管理サーバ装置１３１に特典情報やメッセージを送信するものである。
【００５０】
図６は本発明の特典管理サーバ装置１３１のハードウェアの基本構成の一例を示すブロック図である。
【００５１】
特典管理サーバ装置１３１は、パーソナルコンピュータ及び、特典発行サーバ装置用プログラムデータによって構成され、ＣＰＵ、メモリ、記憶装置、入力装置、通信装置、表示装置、バスを具備している。
【００５２】
ＣＰＵ６０１は処理の演算を行なう。メモリ６０２は演算に必要な記憶領域を実現する。記憶装置６０３は特典管理サーバ装置プログラムデータ自体および、その動作に必要なデータの格納も行なうものとする。
【００５３】
入力装置６０４はパーソナルコンピュータのキーボードやマウスなどのオペレータから入力する情報を受け付ける。
【００５４】
通信装置６０５はネットワーク１４１に接続するための装置であり、応答端末装置１１１、１１２、１１３や特典発行サーバ装置１２１と情報のやり取りを行なう。
【００５５】
出力装置６０６は通信装置６０５で送受信した情報及び、ＣＰＵ６０１で処理した情報を表示する。これは、サーバのため必ずしも必要とせず、ネットワークによって表示するべき情報を受信したりするなどの手段で代用してもかまわない。
【００５６】
バス６０７はこれらの装置間を繋ぎデータを転送する。
【００５７】
なお、具体的には特典管理サーバ装置プログラムデータは６０８に相当し、パーソナルコンピュータは６０１から６０７の各部に相当する。
【００５８】
図７は本発明の特典管理サーバ装置１３１のハードウェアの機能構成の一例を示すブロック図である。
【００５９】
情報記憶手段７０１とは、情報管理手段７０２からの要求に従い、特典を管理しているユーザ名、応答端末装置のＩＰアドレス、特典応答状況に関する情報及び、応答したユーザの中からある期間内で全ての発行された特典に対して応答を行ったユーザを検索する条件を書き込み、または読み出されるものである。
【００６０】
情報管理手段７０２は、情報記憶手段７０１を操作・管理するものであり、制御手段７０４からの要求に従い、情報を情報記憶手段７０１に書き込み、または情報を削除し、あるいは情報を情報記憶手段７０１から読み出すものである。
【００６１】
演算手段７０３は、指示された条件に該当するユーザが存在しているかを検索するものである。
【００６２】
制御手段７０４は、演算手段７０３で演算を行うよう指示を与えたり、受信手段７０５で受信した情報を記憶や、演算手段７０３で算出された情報の出力指示を与えるものである。
【００６３】
受信手段７０５は、ネットワークに接続している特典発行サーバ装置１２１や応答端末装置１１１、１１２、１１３から送られる情報を受信するものである。
【００６４】
出力手段７０６は、制御手段７０４より送られてきた送信命令に従い、特典管理サーバ装置１３１に応答を返すものである。
【００６５】
図８は本発明の応答端末装置１１１、１１２、１１３が特典発行サーバ装置１２１から特典が発行もしくは特典管理サーバ装置１３１から特典結果に関する情報が送信され、その特典に対して特典管理サーバ装置１３１に応答を返す際の基本構成を示すフローチャートである。
【００６６】
ステップ８０１及びステップ８１１では視聴者であるユーザが番組を視聴している最中に、特典発行サーバ装置１２１もしくは、特典管理サーバ装置１３１が送信した情報を受信するまで待機する。
【００６７】
もし、特典発行サーバ装置１２１が発行した特典情報を受信した場合はステップ８０２に進み、その情報を記憶して次のステップ８０３に進む。また、特典管理サーバ装置１３１が出力した情報を受信した場合はステップ８１２に進む。
【００６８】
ステップ８０２ではステップ８０１で記憶した情報を情報記憶手段３０１に格納する。ステップ８０１で受信してステップ８０２で記憶する情報としては、識別子付きの特典情報とその特典情報に対しての応答先である特典管理サーバ装置アドレスなどが含まれる。
【００６９】
次にステップ８０３ではステップ８０２で記憶した情報を元に視聴しているモニタに表示し、次のステップ８０４に進む。
【００７０】
次にステップ８０４では発行された特典に対して、有効期間内に視聴者であるユーザが応答したか判定を行い、応答があった場合は次のステップ８０５に進む。なかった場合は再び各サーバ装置から情報を受信するまで待機する。
【００７１】
例えば図１１に示すように、番組のあるコマーシャルメッセージＣＭ−Ａ１が特典対応放送であるとする。
【００７２】
そのコマーシャルメッセージが放送（受信）されると特典情報として「このＣＭ中に応答ボタンを押すと６月分バーチャルスタンプＧｅｔ！」と画面の隅にモニタに表示される。
【００７３】
視聴者はそのコマーシャルメッセージの放映されている期間にリモコンで応答ボタンを押すことで、モニタに対して応答したことを通知する。
【００７４】
また、図には示していないが、他にも音声や効果音などで視聴者が認識できる通知方法でもかまわない。
【００７５】
次にステップ８０５では応答したことを特典管理サーバ１３１に対して送信する。
【００７６】
送信する情報として、ユーザに関する情報や特典発行サーバから受信した特典の識別子などの、どのユーザがどの特典に対して応答を行ったのかを判断できる要素が含まれている。
【００７７】
以上が、特典発行サーバ装置１２１から情報を受信した応答端末装置が処理する流れであり、以後特典発行サーバ装置１２１から情報を受信するたびにこれらの処理を行う。
【００７８】
次に応答端末装置が、特典管理サーバ装置１３１から情報を受信した場合の処理について説明する。
【００７９】
ステップ８１１では特典管理サーバ装置１３１から出力された情報を受信するまで待機している。応答端末装置１１１、１１２、１１３が特典管理サーバ装置１３１から情報を受信した場合は次のステップ８１２に進み受信した情報を情報記憶手段３０１に記憶し次のステップ８１３に進む。
【００８０】
このステップで受信する情報として特典管理サーバ装置が行った集計やその結果が含まれている。
【００８１】
次にステップ８１３ではステップ８０１で受信した情報の出力先によって処理の分岐が行われる。
【００８２】
この場合、プリンタ出力での指定がなされている場合はステップ８１４に進み、それ以外の場合はステップ８１５に進む。
【００８３】
ステップ８１４では受信した情報をプリンタで出力するために、接続されているプリンタに対して情報を渡し、印刷指示を与える。
【００８４】
また、ステップ８１５では受信した情報をモニタに表示する。例えば、ステップ８１４でプリンタによって出力される情報として、あるキャンペーンへの応募用紙フォーマットが挙げられる。そのときのネットワーク構成を図１２に示す。
【００８５】
装置１２０１および、１２１１は、図１の１０１と１１１と同じであるため説明を省略する。
【００８６】
プリンタ１２５１は応答端末装置１２１１が受信した印刷情報を出力するものであり、その出力結果が１２５２である。なお、１２５３は印刷情報データの一意性を表す情報である。その応募用紙を用いて応募することで、更なる特典の挑戦権が得られるなどの特典が考えられる。
【００８７】
ただ、普通の応募用紙を出力しただけでは、その応募用紙をコピーしてしまえば番組を視聴して特典を獲得する意味が薄れてしまうため、応募用紙に情報１２５３として２次元バーコードなど複製してもその用紙の有効使用回数が1回となるような管理しやすい情報を付加するのが望ましい。
【００８８】
また、ステップ８１５でモニタで表示する情報として、シークレット映像や画像などを表示するなどの情報が考えられる。
【００８９】
また、今までの例ではアタリのシーンであるが、逆にハズレ、残念などの情報も受信した場合は表示しても良い。
【００９０】
以上が、特典管理サーバ装置１３１から情報を受信した応答端末装置１１１、１１２、１１３が処理する流れであり、以後特典管理サーバ装置１３１から情報を受信するたびにこれらの処理を行う。
【００９１】
図９は本発明の特典発行サーバ装置１２１が応答端末装置１１１、１１２、１１３に対して特典を発行し、その特典に関する情報を特典管理サーバ装置１３１に通知する際の基本構成を示すフローチャートである。
【００９２】
ステップ９０１では視聴者に対して特典を発行する指示を受信するまで待機する。指示を受信した場合は次のステップ９０２に進む。
【００９３】
特典の発行指示はオペレータによって手動での発行を行ったり、タイマーなどのトリガによる自動発行でもかまわない。
【００９４】
また、発行指示と同時に発行する情報も含んで受信してもかまわない。
【００９５】
次にステップ９０２では視聴者に対して発行する特典情報を生成し、次のステップ９０３に進む。この特典情報は予め登録されているテンプレートを読み込んで生成するもしくは、ステップ９０１で受信した特典情報の内容を元に生成する。
【００９６】
次にステップ９０３では生成した特典情報に対して、一意の識別子を付加してステップ９０４にてその情報を記憶し次のステップ９０５に進む。
【００９７】
次にステップ９０５では生成した特典情報を視聴者に対して送信を行い次のステップ９０６に進む。
【００９８】
この特典情報の送信方法として、ＢＭＬ（Ｂｒｏａｄｃａｓｔ  Ｍａｒｋｕｐ  Ｌａｎｇｕａｇｅ）やデータ放送などによる番組の放送波に情報を含めて送出を行ったり、インターネットを用いて情報を送信する方法が挙げられるが、その他にも視聴者が持つ応答端末に対して送信できる方法であれば手段は問わない。
【００９９】
次にステップ９０６では応答端末装置１１１、１１２、１１３に送信した特典情報を特典管理サーバ装置１３１に対して送信する。送信する情報の一例として図１３にその例を示す。
【０１００】
特典管理サーバ装置１３１が処理を行う際に、発行した特典の情報を送信する。図ではリスト化されているが、発行のたびに１件ずつ送信してもかまわない。特典管理サーバに情報を渡すことでどの特典に対して応答があったのかを理解できるようになる。
【０１０１】
今回の例では発行指示を受けてから特典情報を生成しているが、予め登録してある特典情報を発行指示によって視聴者に送信するという順序を入れ替えた場合でもかまわない。
【０１０２】
以上が、特典発行サーバ装置１２１が番組視聴者の応答端末装置１１１、１１２、１１３に対して生成した特典情報を送信する一連の流れであり、以後特典を発行するたびにこれらの処理を行う。
【０１０３】
図１０は本発明の特典管理サーバ装置１３１が発行された特典に対して応答端末装置１１１、１１２、１１３が応答を行い、集計しその結果を出力する際の基本構成を示すフローチャートである。
【０１０４】
ステップ１００１、ステップ１０１１、ステップ１０２１では処理に関するイベントを受信するまで待機する。
【０１０５】
視聴者が持つ応答端末装置１１１、１１２、１１３からの特典応答を受信した場合はステップ１００１、特典発行サーバ装置１２１から発行された特典に関する情報を取得した場合はステップ１０１１、受信した応答を集計する指示があった場合はステップ１０２１に進みそれぞれの処理を行う。
【０１０６】
ステップ１００１では応答端末装置１１１、１１２、１１３から特典応答を受信した場合に次のステップ１００２においてその情報を記憶する。
【０１０７】
ステップ１０１１では特典発行サーバ装置１２１から発行された特典に関する情報を受信した場合は、次のステップ１０１２においてその情報を記憶する。
【０１０８】
記憶した情報の例として図１４に示す。図では応答のあったユーザに関する情報と、特典発行サーバ装置１２１が発行したどの特典に応答があったかの情報が記憶されている。
【０１０９】
この他にもユーザの応答端末装置のＩＰアドレスや機器番号、メールアドレスなどのユーザに関する情報をこの情報テーブルで保持してもかまわない。
【０１１０】
ステップ１０２１では受信した応答端末装置１１１、１１２、１１３からの応答の集計指示を受けた場合に次のステップ１０２２に進む。集計指示は、直接オペレータなどから集計の指示が与えられるものや、タイマーによる自動集計などがある。
【０１１１】
この集計指示の中の情報として、集計を実行するためのトリガだけではなく、どの期間の特典に対して集計を行うのかや、どのユーザに対して集計するのかなどの集計条件も含まれる。
【０１１２】
次にステップ１０２２では受信した情報内の集計条件と、ステップ１００２で記憶した応答情報から条件を満たすユーザ情報を検索し次のステップ１０２３に進む。
【０１１３】
次にステップ１０２３では検索した結果から該当するユーザが存在しているかを判定し、存在していた場合はそのユーザに関する情報をステップ１０２４で記憶し、次のステップに進む。
【０１１４】
次にステップ１０２５では該当するユーザに対して結果情報を送信する。
【０１１５】
例えば、集計条件として「コマーシャルメッセージＣＭ−Ａ１、ＣＭ−Ａ２、ＣＭ−Ａ３を見て応答があったユーザを抽出して、そのユーザに対して遊園地入場券が当たる応募用紙情報を送信する」という内容であった場合、特典管理サーバ装置はその条件を受け取ると、その条件に該当するユーザを検索し始める。
【０１１６】
特典管理サーバ装置１３１は図１３、図１４の情報テーブルを保持しているため、そのテーブルを用いて検索を行う。該当者が存在していなければ集計作業は終了するが、存在していた場合はそのユーザ情報からあて先を抽出しその情報を元に応募用紙情報を送信する。
【０１１７】
図１４の場合、ユーザがＡのみが与えられた条件を満たしているため、ユーザＡに対して応募用紙情報を送信する。
【０１１８】
また、応募用紙情報でなく、特別な映像情報を送信する際も同様な処理を行う。例えば、世界的有名な名所の高画質静止画を送信して、単にモニタに表示させたりすることが挙げられる。
【０１１９】
そして、ユーザが携帯電話のメールアドレスを登録してあり、前例にある全てのコマーシャルメッセージを見て、特典管理サーバ装置の検索条件に該当した場合、そのユーザの携帯電話に待ち受け画面の画像（転送不可能画像）を送信するなども良い。
【０１２０】
以上が、特典管理サーバ装置が番組視聴者の応答端末装置が応答した応答情報を受信して、その情報の中から指定された条件を満たすユーザを探し出してそのユーザに対して情報を送信する一連の流れであり、以後応答を受信するもしくは、集計指示を受け取るたびにこれらの処理を行う。
【０１２１】
また、第１の実施の形態ではコマーシャルメッセージにおいての利用方法を挙げたが、その他の利用方法例として長時間番組で用いられる番組最中に表示されるキーワード全て集めるとプレゼントの応募の権利が得られるということに関しても、本発明システムを用いることで容易に実現することができる。
【０１２２】
例えば、ある放送局で２４時間番組が実在したとしてその番組１時間ごとにキーワードを放送するとする。本発明を用いない従来の場合、視聴者がキーワードを覚える必要がある。番組を見ていてもキーワードを忘れてしまい応募する権利を失ってしまう場合もあれば、番組を見ていた別人にキーワードを聞いて、番組を見ていないのに応募する権利を得ることができる場合もあり、番組を見ていない人が応募でき、番組を見ていた人が応募できないといった不公平が生じる。
【０１２３】
しかし、本発明を用いた場合、キーワードとなる情報を視聴者が受信して、視聴者はリモコンなどで応答するだけでキーワードそのものを覚える必要がなくなる。
【０１２４】
また、全てのキーワードを集めて応募用紙情報を入手すれば、番組のプレゼントに応募できる権利を得ることができる。その応募用紙にも２次元バーコードなど応募用紙１枚で１回の応募ができるという仕組みにした場合、その応募用紙をコピーして応募したとしても２枚目以降は無効となるため、キーワードの答えを他人に通知して番組を見ていない人でも応募できてしまうことを防ぐことができる。
【０１２５】
このとき、特典管理サーバ装置１３１は応募用紙情報を送信すべきユーザを探し出す条件として「２４時間番組中に発行された特典情報２４ｈ−１〜２４ｈ−２４全てに対して応答があったユーザ」を与えることで、該当するユーザを探し応募用紙情報を送信する。
【０１２６】
また、第１の実施の形態では、特典発行サーバ装置と特典管理サーバ装置がそれぞれ独立している構成だが、これらのサーバ装置を一体化したサーバ装置として扱ってもかまわない。
【０１２７】
また、第１の実施の形態では、モニタを用いたネットワーク構成になっているが、モニタを用いない放送に対しても実施可能である。
【図面の簡単な説明】
【０１２８】
【図１】本発明の実施の形態に係る特典付与システムのネットワーク構成図である。
【図２】本発明の実施の形態に係る応答端末装置の構成を示すブロック図である。
【図３】本発明の実施の形態に係る応答端末装置の機能構成を示すブロック図である。
【図４】本発明の実施の形態に係る特典発行サーバ装置の構成を示すブロック図である。
【図５】本発明の実施の形態に係る特典発行サーバ装置の機能構成を示すブロック図である。
【図６】本発明の実施の形態に係る特典管理サーバ装置の構成を示すブロック図である。
【図７】本発明の実施の形態に係る特典管理サーバ装置の機能構成を示すブロック図である。
【図８】本発明の実施の形態に係る応答端末装置の制御を説明するためのフローチャートである。
【図９】本発明の実施の形態に係る特典発行サーバ装置の制御を説明するためのフローチャートである。
【図１０】本発明の実施の形態に係る特典管理サーバ装置の制御を説明するためのフローチャートである。
【図１１】本発明の実施の形態に係る特典情報が含まれたコマーシャルメッセージの表示例を示す図である。
【図１２】本発明の実施の形態に係るネットワーク構成図である。
【図１３】本発明の実施の形態に係る特典発行サーバ装置が発行する特典情報に関するテーブルの一例を示す図である。
【図１４】本発明の実施の形態に係る特典管理サーバ装置が管理する視聴者応答情報に関するテーブルの一例を示す図である。
【符号の説明】
【０１２９】
１０１  モニタ
１０２  モニタ
１０３  モニタ
１１１  応答端末装置
１１２  応答端末装置
１１３  応答端末装置
１２１  特典発行サーバ装置
１３１  特典管理サーバ装置
２０１  ＣＰＵ
２０２  メモリ
２０３  記憶装置
２０４  入力装置
２０５  通信装置
２０６  出力装置
３０１  情報記憶手段
３０２  情報管理手段
３０３  制御手段
３０４  受信手段
３０５  出力手段
４０１  ＣＰＵ
４０２  メモリ
４０３  記憶装置
４０４  入力装置
４０５  通信装置
４０６  表示装置
５０１  情報記憶手段
５０２  情報管理手段
５０３  特典生成手段
５０４  識別子生成手段
５０５  制御手段
５０６  受信手段
５０７  送信手段
６０１  ＣＰＵ
６０２  メモリ
６０３  記憶装置
６０４  入力装置
６０５  通信装置
６０６  表示装置
７０１  情報記憶手段
７０２  情報管理手段
７０３  演算手段
７０４  制御手段
７０５  受信手段
７０６  出力手段
【図１】
2007281968.tif 000003
【図２】
2007281968.tif 000004
【図３】
2007281968.tif 000005
【図４】
2007281968.tif 000006
【図５】
2007281968.tif 000007
【図６】
2007281968.tif 000008
【図７】
2007281968.tif 000009
【図８】
2007281968.tif 000010
【図９】
2007281968.tif 000011
【図１０】
2007281968.tif 000012
【図１１】
2007281968.tif 000013
【図１２】
2007281968.tif 000014
【図１３】
2007281968.tif 000015
【図１４】
2007281968.tif 000016